(57)【要約】【課題】美観を向上させることのできる、乳幼児用座席の幌構造を提供すること。【解決手段】幌（１）は、互いの角度が可変となるよう、その下端部分が連結されている第１および第２の幌骨（１１，１２）と、第１および第２の幌骨（１１，１２）に渡される幌布（２）と、第１および第２の幌骨（１１，１２）を開状態に維持する開状態維持部材（３）と、開状態維持部材（３）に取付けられ、手で操作されることによって開状態を解除する操作手段（４）とを備える。上記幌布（２）は、開状態維持部材（３）を隠す隠ぺい部と、操作手段（４）を露出させる、たとえばスリット形状の開口部（２５）とを有している。【選択図】図２
2014101098.tif 000002
【特許請求の範囲】
【請求項１】
乳幼児用座席に取付けられる、折り畳み可能な幌の構造であって、
互いの角度が可変となるよう、その下端部分が連結されている第１および第２の幌骨と、
前記第１および第２の幌骨に渡される幌布と、
前記第１および第２の幌骨を開状態に維持する開状態維持部材と、
前記開状態維持部材に取付けられ、手で操作されることによって前記開状態を解除する操作手段とを備え、
前記幌布は、前記開状態維持部材を隠す隠ぺい部と、前記操作手段を露出させる開口部とを有する、乳幼児用座席の幌構造。
【請求項２】
前記幌布は、前記隠ぺい部および前記開口部が設けられた外布および内布を含み、
前記開状態維持部材は、前記外布および前記内布の間に配置される、請求項１に記載の乳幼児用座席の幌構造。
【請求項３】
前記開状態維持部材は、両端が前記第１および第２の幌骨に接するように配置され、前記第１および第２の幌骨の位置を固定することによって前記開状態を維持する剛性部材を含み、
前記操作手段は、前記剛性部材上に設けられ、前記剛性部材の位置を変更するために操作される、請求項１または２に記載の乳幼児用座席の幌構造。
【請求項４】
前記開口部は、前記操作手段の移動方向に沿って延びるスリットである、請求項３に記載の乳幼児用座席の幌構造。
【請求項５】
前記隠ぺい部の裏面側に配置され、前記操作手段を一方端とする操作連結部に設けられたフランジ部とをさらに備える、請求項３または４に記載の乳幼児用座席の幌構造。
【請求項６】
下端部分において前記第１および第２の幌骨と連結され、前記第１および第２の幌骨間に配置される第３の幌骨をさらに備える、請求項３〜５のいずれかに記載の乳幼児用座席の幌構造。
【請求項７】
前記剛性部材は、
一方端が前記第１の幌骨に回動可能に連結された第１のリンク部材と、
一方端が前記第２の幌骨に回動可能に連結され、他方端が前記第１のリンク部材の他方端に回動可能に連結された第２のリンク部材とを有する、請求項３〜６のいずれかに記載の乳幼児用座席の幌構造。
【発明の詳細な説明】
【技術分野】
【０００１】
本発明は、乳幼児用座席の幌構造に関し、特に、乳幼児用座席に取付けられる、折り畳み可能な幌の構造に関する。
【背景技術】
【０００２】
乳母車等の乳幼児座席には、乳幼児への日射等を避けるために、幌が取り付けられることが多い。また、このような幌は、必要なときにのみ広げられるように折り畳み可能とされることが好ましい。
【０００３】
幌を折り畳み可能とするために、下端部分が連結された２つの幌骨を連結し、２つの幌骨のなす角度を可変とするリンク機構を備えた幌が従来より存在する。このようなリンク機構は、実開平４−４５１７４号公報（特許文献１）や、特開２０１０−２５３９７６号公報（特許文献２）に開示されているように、典型的には、一端が一方の幌骨に連結された第１のリンクと、一端が他方の幌骨に連結され、かつ、他端が第１のリンクに連結された第２のリンクとを含む。
【０００４】
このようなリンク機構により幌の開閉操作を行うためには、ユーザは、リンク機構より側方に突出する操作部（操作つまみ）を上下移動させることによって、第１および第２のリンクを、直線状または屈曲した位置関係とする。
【先行技術文献】
【特許文献】
【０００５】
【特許文献１】実開平４−４５１７４号公報
【特許文献２】特開２０１０−２５３９７６号公報
【発明の概要】
【発明が解決しようとする課題】
【０００６】
リンク機構により開閉を行う幌は、ラチェット機構により開閉を行う幌に比べて、幌を開いたときに、幌布を確実に張った状態で維持することができる。
【０００７】
一方で、上記文献にも示されるように、リンク機構を採用する幌では、リンク機構は幌布の外側に配置される。したがって、幌の美観という観点からすれば、必ずしもユーザの要求を満たしていない場合もあると考えられる。
【０００８】
本発明は、上記のような課題を解決するためになされたものであって、その目的は、美観を向上させることのできる、乳幼児用座席の幌構造を提供することである。
【課題を解決するための手段】
【０００９】
この発明のある局面に従う乳幼児用座席の幌構造は、乳幼児用座席に取付けられる、折り畳み可能な幌の構造であって、互いの角度が可変となるよう、その下端部分が連結されている第１および第２の幌骨と、第１および第２の幌骨に渡される幌布と、第１および第２の幌骨を開状態に維持する開状態維持部材と、開状態維持部材に取付けられ、手で操作されることによって開状態を解除する操作手段とを備える。幌布は、開状態維持部材を隠す隠ぺい部と、操作手段を露出させる開口部とを有する。
【００１０】
これにより、開状態維持部材が幌布によって隠されるため、幌の美観が向上される。また、操作手段は露出されるので、操作性の低下を回避できる。
【００１１】
好ましくは、幌布は、隠ぺい部および開口部が設けられた外布および内布を含み、開状態維持部材は、外布および内布の間に配置される。
【００１２】
好ましくは、開状態維持部材は、両端が第１および第２の幌骨に接するように配置され、第１および第２の幌骨の位置を固定することによって開状態を維持する剛性部材を含み、操作手段は、剛性部材上に設けられ、剛性部材の位置を変更するために操作される。
【００１３】
好ましくは、開口部は、操作手段の移動方向に沿って延びるスリットである。
【００１４】
好ましくは、隠ぺい部の裏面側に配置され、操作手段を一方端とする操作連結部に設けられたフランジ部とをさらに備える。
【００１５】
好ましくは、下端部分において第１および第２の幌骨と連結され、第１および第２の幌骨間に配置される第３の幌骨をさらに備える。
【００１６】
好ましくは、剛性部材は、一方端が第１の幌骨に回動可能に連結された第１のリンク部材と、一方端が第２の幌骨に回動可能に連結され、他方端が第１のリンク部材の他方端に回動可能に連結された第２のリンク部材とを有する。
【発明の効果】
【００１７】
本発明によれば、幌の美観を向上させることができる。
【図面の簡単な説明】
【００１８】
【図１】本発明の実施の形態に係る幌の外観を示す斜視図である。
【図２】本発明の実施の形態に係る幌の構造を示す側面図である。
【図３】本発明の実施の形態に係る幌の内部構造を示す斜視図である。
【図４】本発明の実施の形態におけるリンク機構を示す斜視図である。
【図５】本発明の実施の形態におけるリンク機構を示す正面図である。
【図６】本発明の実施の形態におけるリンク機構の側面図である。
【図７】本発明の実施の形態において、開状態であるときの幌を示す側面図である。
【図８】本発明の実施の形態において、開状態から閉状態への移行途中における幌を示す側面図である。
【図９】本発明の実施の形態において、閉状態であるときの幌を示す側面図である。
【図１０】本発明の実施の形態に係る幌を取付けた乳母車の外観を示す側面図である。
【図１１】本発明の実施の形態に係る幌を取付けた乳母車の外観を示す側面図である。
【図１２】本発明の実施の形態に係る幌を取付けた乳母車の外観を示す側面図である。
【図１３】（Ａ）〜（Ｃ）は、リンク機構の第１の変形例を示す概念図である。
【図１４】（Ａ）〜（Ｃ）は、リンク機構の第２の変形例を示す概念図である。
【図１５】幌骨間を結ぶ連結軸の変形例を示す概念図である。
【図１６】幌骨間を結ぶ連結軸の変形例を示す概念図である。
【発明を実施するための形態】
【００１９】
本発明の実施の形態について図面を参照しながら詳細に説明する。なお、図中同一または相当部分には同一符号を付してその説明は繰返さない。
【００２０】
（幌構造の概要について）
はじめに、本実施の形態における、折り畳み可能な幌構造の概要について説明する。
【００２１】
図１は、本発明の実施の形態に係る幌１の外観を示す斜視図である。図２は、幌１の構造を示す側面図である。図３は、幌１の内部構造を示す斜視図である。
【００２２】
図２および図３を参照して、幌１は、互いの角度が可変となるよう、その下端部分が連結されている幌骨１１，１２と、幌骨１１，１２に渡される幌布２とを備えている。各幌骨１１，１２は、逆Ｕ字形状である。各幌骨１１，１２の一端および他端は、それぞれ連結軸１０によって回動可能に連結されている。なお、本実施の形態では、幌骨１１，１２が互いに離れたり近づいたりする方向を「前後方向」、連結軸１０間を結ぶ方向（前後方向と直交する方向）を「左右方向」として以下説明する。
【００２３】
幌布２は、典型的には、幌骨１１，１２の外側および内側をそれぞれ覆う外布２１および内布２２を含む。外布２１および内布２２は、たとえば、それぞれの外周端縁において縫い付けられている。
【００２４】
幌１は、折り畳み可能であるため、幌１には、幌骨１１，１２を開状態に維持するための開状態維持部材としてのリンク機構３と、リンク機構３上に取付けられた操作部４とが備えられる。リンク機構３は、その両端が、幌骨１１，１２に接するように配置される。リンク機構３は、幌１の両側（左右方向）に設けられており、幌骨１１，１２の位置を固定することによって、開状態を維持することができる。なお、リンク機構３の具体的な構造例については後述する。
【００２５】
操作部４は、ユーザの手で操作されることによって、リンク機構３の位置を変更する。つまり、操作部４の操作に応じて、幌骨１１，１２は、開状態とされたり、開状態が解除されたりする。操作部４は、たとえば、球状である。
【００２６】
なお、左右両側に設けられた２つのリンク機構３の動作が連動するように構成すれば、操作部４は、幌１の一方側にのみ設けられていてもよい。
【００２７】
ここで、リンク機構３は、図１に示されるように幌布２によって隠されており、操作部４のみが幌布２より露出している。つまり、本実施の形態では、リンク機構３は、外布２１と内布２２との間に配置されており、幌布２の外布２１には、リンク機構３を隠す隠ぺい部２３と、操作部４のみを露出させる開口部２５とが設けられている。
【００２８】
隠ぺい部２３は、リンク機構３の移動可能範囲を覆う部分に形成される。開口部２５の幅は、操作部４の幅（前後方向長さ）よりも小さいことが望ましく、本実施の形態では、開口部２５は、操作部４の移動方向に沿って延びるスリットである。なお、操作部４の移動をスムーズに案内するためには、開口部２５の周囲部分を縫い付けて硬くしておくことが望ましい。
【００２９】
このように、リンク機構３を幌布２に隠し、操作部４のみを露出させることで、操作性を低下させることなく幌１の美観が向上される。
【００３０】
幌１は、乳幼児座席に取付け可能である。したがって、幌１は、乳幼児座席に幌１を取付けるための取付け部材６として、たとえばスリーブを備えている。取付け部材６は、幌骨１１，１２間を連結する連結軸１０が一端に固定された支持板６１の他端に取付けられている。
【００３１】
図３を参照して、幌１は、さらに、幌骨１１，１２間にワイヤ１３が設けられてもよい。ワイヤ１３は、幌骨１１，１２とほぼ同じ大きさの逆Ｕ字形状である。これにより、ワイヤ１３も、幌骨として機能する。なお、ワイヤ１３の下端部分は、図３に示されるように連結軸１０に固定されてもよいし、幌布２の外布２１の裏側に固定されてもよい。
【００３２】
このように、幌１にワイヤ１３が設けられた場合、開状態において、幌布２（外布２１）の上部がワイヤ１３に沿うため、幌布２の垂れ下がりを防止することができる。その結果、幌１の美観がさらに高められる。
【００３３】
（リンク機構周辺の構造例について）
次に、本実施の形態におけるリンク機構３周辺の構造例について説明する。
【００３４】
図４は、本発明の実施の形態におけるリンク機構３を示す斜視図、図５は、リンク機構３を示す正面図、図６は、リンク機構３の側面図である。
【００３５】
図４および図５を参照して、リンク機構３は、剛性部材として、たとえば２つのリンク板３１，３２を含む。リンク板３１は、ピン３３によって一端が幌骨１１に回動可能に連結され、リンク板３２は、ピン３４によって一端が幌骨１２に回動可能に連結される。また、リンク板３１および３２は、互いの他端において、図示しないピンを軸方向に含む軸３０によって回動可能に連結されている。
【００３６】
操作部４は、リンク機構３より突出して設けられており、リンク機構３と操作部４とは、左右方向に延びる操作連結部５によって連結されている。このように、操作部４は、操作連結部５を介してリンク機構３上に取り付けられている。本実施の形態では、操作連結部５は、軸３０の延長線上に配置されている。
【００３７】
操作連結部５には、操作部４の上下移動を案内する案内手段として、フランジ部５２が設けられている。フランジ部５２は、開口部２５の幅よりも大きくなるよう形成されている。図６に示されるように、フランジ部５２は、外布２１（隠ぺい部２３）の裏面側に配置されるため、操作部４を上下移動させる際に、フランジ部５２が、開口部２５周囲の布と面接触しながら相対移動を案内する。そのため、リンク板３１，３２が折れ曲がる際に、外布２１を挟み込んでしまうことを回避できるため、操作部４の上下移動をスムーズに行うことができる。
【００３８】
図６を参照して、操作連結部５には、上下方向に貫通する貫通孔５１が形成されている。貫通孔５１には、図３に示したワイヤ１３が摺動可能に挿入される。これにより、ワイヤ１３が延びる方向に沿って、操作連結部５を移動させることができるため、操作部４の上下移動をスムーズにすることができる。したがって、ワイヤ１３は、幌骨としてだけでなく、操作部４の上下移動を案内する案内手段としても機能する。
【００３９】
（リンク機構３の動作について）
ここで、本実施の形態における幌１の開閉動作を行う際のリンク機構３の動作について説明する。
【００４０】
図７は、本発明の実施の形態において、開状態であるときの幌１を示す側面図である。図８は、本発明の実施の形態において、開状態から閉状態への移行途中における幌１を示す側面図である。図９は、本発明の実施の形態において、閉状態であるときの幌１を示す側面図である。
【００４１】
図４および図７〜９を参照して、操作部４によって、軸３０が、上方位置からリンク板３１とリンク板３２とが直線状に整列する思案点を越えるように下方に移動された場合、開状態が維持される。つまり、図７に示す、幌１が開状態のとき、すなわち幌骨１１，１２が開状態のとき、操作部４および軸３０は最下方位置にある。
【００４２】
逆に、操作部４によって軸３０が、再下方位置から思案点を越えて上方に移動された場合、開状態は解除される。この場合、軸３０を中心として、リンク板３１とリンク板３２とが折れ曲がる状態となる。操作部４によって、軸３０が最上方位置まで移動操作されると、幌１は、図９に示されるように、完全に閉状態となる。
【００４３】
（幌の取付け態様）
本実施の形態における幌１は、乳幼児用座席の一例として乳母車に取付け可能である。
【００４４】
図１０〜１２は、本発明の実施の形態に係る幌１を取付けた乳母車１００の外観を示す側面図である。図１０には、開状態であるときの幌１の外観が示され、図１１には、開状態から閉状態への移行途中における幌１の外観が示され、図１２には、閉状態であるときの幌１の外観が示されている。
【００４５】
図１０を参照して、乳母車１００は、車体フレームとして、主に、一対の前脚１０１、一対の後脚１０２、一対の押し棒１０３、一対のハンドル部材１０４、および、座席ハンモック（図示せず）の座部を支持するように前後方向に延びる一対の座席支持棒１０５とを備えている。
【００４６】
本実施の形態では、一対の取付け部材６それぞれが一対の押し棒１０３に固定されることで、幌１は、乳母車１００に取付けられている。上述のように、幌布２には、リンク機構３を隠す隠ぺい部２３と、操作部４を露出する開口部２５とが設けられている。したがって、開状態（図１０）、移行途中（図１１）および閉状態（図１２）のいずれにおいても、リンク機構３が幌布２によって隠されているため、常に幌１の美観が保たれる。その結果、乳母車１００全体の美観も向上させることができる。
【００４７】
また、このように、リンク機構３が隠ぺい部２３の裏側に配置されることで、幌１の開状態を解除するために、乳母車１００のユーザが操作部４を操作する際に、折れ曲がるリンク板３１，３２間に誤って指を挟み込む心配もなくなる。
【００４８】
また、本実施の形態では、リンク機構３は、外布２１および内布２２の間に配置されるため、乳母車１００の座部に座っている乳幼児が、折れ曲がるリンク板３１，３２間に指等を挟み込む心配もない。
【００４９】
なお、上述のように、幌布２は、外布２１および内布２２によって構成される袋状のシートであることが望ましいが、リンク機構３が外部より隠されていれば、他の構成であってもよい。たとえば、幌布２は、上記外布２１に相当する一枚のシートで構成されていてもよい。この場合、当該シートは、たとえば、幌骨１１，１２の各々を覆うように、外周端縁において袋状部を形成していればよい。この場合、乳母車１００の座部側においてもリンク機構３が隠されるように、リンク機構３の移動範囲を含む部分にのみ、内布２２が部分的に配置されてもよい。
【００５０】
あるいは、内布２２に相当する一枚のシートの外側において、リンク機構３が隠されるように、リンク機構３の移動範囲を含む部分にのみ、外布２１が部分的に配置されてもよい。この場合も、当該シートが、幌骨１１，１２の各々を覆うように、外周端縁において袋状部を形成していてもよい。
【００５１】
なお、上記実施の形態では、操作連結部５が、２つのリンク板３１，３２を連結する軸３０の延長線上に設けられることとしたが、操作部４の移動と操作連結部５の移動とが連動していれば、操作連結部５の配置位置は他の位置であってもよい。たとえば、操作連結部５は、いずれかのリンク板３１，３２上であって、軸３０の軸心よりも上側あるいは下側の位置から延びるように設けられていてもよい。また、本実施の形態では、操作連結部５の形状として略円筒形状の例を示したが、たとえば板状など、他の形状であってもよい。
【００５２】
また、上記実施の形態では、開状態維持部材としてのリンク機構３は、２つのリンク板３１，３２と、これらを回動可能に連結する１つの軸３０とを含む構成としたが、このような構成に限定されない。以下に、リンク機構３の変形例について説明する。
【００５３】
（リンク機構の変形例）
図１３（Ａ）〜（Ｃ）は、リンク機構の第１の変形例を示す概念図である。
【００５４】
図１３（Ａ）〜（Ｃ）を参照して、リンク機構３Ａは、一端が幌骨１１に回動可能に連結されるリンク板３１Ａと、一端が幌骨１２に回動可能に連結されるリンク板３２Ａと、一端がリンク板３１Ａに回動可能に連結され、他端がリンク板３２Ａに回動可能に連結されるリンク板３３とを含む。リンク板３１Ａ，３２Ａは、剛性を有する棒状部材であってもよい。リンク板３３の長手方向中央に、操作部４が突出して設けられている。リンク板３１Ａおよびリンク板３２Ａの長手方向の長さは略同一である。
【００５５】
操作部４によって中央のリンク板３３が、上方位置から、リンク板３１とリンク板３２とリンク板３３とが直線状に整列する思案点を越えるように下方に移動された場合、開状態が維持される。逆に、操作部４によって中央のリンク板３３が、再下方位置から思案点を越えて上方に移動された場合、開状態は解除される。この場合、リンク板３３を中心として、リンク板３１Ａおよびリンク板３２Ａが折れ曲がる状態となる。
【００５６】
本変形例のリンク機構３Ａにおいても、リンク板３３と操作部４との間を連結する操作連結部も、図４および６に示した操作連結部５と同様の構造であってよい。したがって、本変形例においても、操作連結部に、ワイヤ１３を通す貫通孔５１およびフランジ部５２が設けられているため、外布２１の裏側にリンク機構３Ａが配置された場合でも、操作部４の上下移動をスムーズに行える。
【００５７】
図１４（Ａ）〜（Ｃ）は、リンク機構の第２の変形例を示す概念図である。
【００５８】
図１４（Ａ）〜（Ｃ）を参照して、リンク機構３Ｂは、幌骨１１に沿ってスライド可能なスライド部材３５と、スライド部材３５よりも下方位置に固定されるストッパ３６と、一端がスライド部材３５に回動可能に連結され、他端が幌骨１２に回動可能に連結されるリンク板３１Ｂとを含む。リンク板３１Ｂは、剛性を有する棒状部材であってもよい。スライド部材３５の側面に、操作部４が突出して設けられている。
【００５９】
操作部４によってスライド部材３５が、上方位置から、幌骨１１とリンク板３１Ｂとのなす角度が９０°の思案点を越えるように下方に移動された場合、開状態が維持される。幌骨１１，１２が開状態のときの角度θは、鈍角であり、９５°程度である。また、このときに、スライド部材３５とストッパ３６とが当接する。
【００６０】
逆に、操作部４によってスライド部材３５が、再下方位置から思案点を越えて上方に移動された場合、開状態は解除される。この場合、幌骨１１とリンク板３１Ｂとのなす角度は、鋭角となる。
【００６１】
本変形例のリンク機構３Ｂにおいても、スライド部材３５と操作部４との間を連結する操作連結部は、図４および６に示した操作連結部５と同様の構造であってよい。なお、本変形例では、操作部４が幌骨１１に沿う位置に配置されるため、図６に示した貫通孔５１はなくてもよい。しかしながら、本変形例においても、開状態時の幌布２の垂れ下がりを防止するために、幌骨として機能するワイヤ１３が配置されてもよい。
【００６２】
なお、上記実施の形態および変形例では、幌骨１１および１２は、１つの連結軸１０によって下端部分において連結されることとした。しかしながら、たとえば図１５および１６に示されるように、幌骨１１および１２は、２つの連結軸１０ａ，１０ｂによって連結されてもよい。
【００６３】
また、上記実施の形態では、幌１が取付けられる乳幼児座席の一例として、乳母車１００を挙げたが、取付け部材６０の形状を、幌１の取付け場所に応じた形状とすることで、たとえばチャイルドシートなどに取付けることもできる。
【００６４】
以上説明した本実施の形態に係る幌によれば、操作性を損なうことなく、幌の美観を向上させることができる。その結果、美観を求めるユーザの要求を十分に満たすことが可能となる。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６６】
１  幌、２  幌布、３，３Ａ，３Ｂ  リンク機構、４  操作部、５  操作連結部、６  取付け部材、１０，１０ａ，１０ｂ  連結軸、１１，１２，１３  幌骨、２１  外布、２２  内布、２３  隠ぺい部、２５  開口部、３０  軸、３１，３１Ａ，３１Ｂ，３２，３３  リンク板、３５  スライド部、３６  ストッパ、５１  貫通孔、５２  フランジ部、６０  取付け部材、１００  乳母車、１０１  前脚、１０２  後脚、１０３  押し棒、１０４  ハンドル部材、１０５  座席支持棒。
【図１】
2014101098.tif 000003
【図２】
2014101098.tif 000004
【図３】
2014101098.tif 000005
【図４】
2014101098.tif 000006
【図５】
2014101098.tif 000007
【図６】
2014101098.tif 000008
【図７】
2014101098.tif 000009
【図８】
2014101098.tif 000010
【図９】
2014101098.tif 000011
【図１０】
2014101098.tif 000012
【図１１】
2014101098.tif 000013
【図１２】
2014101098.tif 000014
【図１３】
2014101098.tif 000015
【図１４】
2014101098.tif 000016
【図１５】
2014101098.tif 000017
【図１６】
2014101098.tif 000018